(57)【要約】【課題】  特定店舗に立地条件の類似した他店舗の情報を提供する。【解決手段】  立地情報受信機能１２と陳列情報受信機能１６が店舗クライアント２から立地情報と陳列情報を受信し、立地情報登録機能１４と陳列情報登録機能１８がそれらを店舗ＩＤに対応させて店舗情報記憶部２０に登録する。検索指示受信機能２２が店舗クライアント２から検索指示を受信すると、類似店舗抽出機能２４が検索元店舗ＩＤに対応する立地情報に類似した立地情報を持つ店舗の類似店舗ＩＤを店舗情報記憶部２０から抽出する。販売情報取得機能２６が類似店舗ＩＤに基づいてＰＯＳサーバ３から販売情報を受信し、販売情報評価機能２８が販売情報に基づいて販売成績の優良な店舗を抽出する。陳列情報抽出機能３０が抽出された店舗の優良店舗ＩＤに対応する陳列情報を店舗情報記憶部２０から抽出し、店舗情報送信機能３２が陳列情報を店舗クライアント２に送信する。【選択図】図２
2008077139.tif 000002
【特許請求の範囲】
【請求項１】
複数の店舗の販売情報を管理するサーバおよび複数の店舗クライアントと通信可能な店舗情報提供装置であって、
前記店舗クライアントから受信した情報を記憶する店舗情報記憶部と、
前記店舗クライアントから店舗を識別する情報である店舗ＩＤと立地条件を表す立地情報と商品の陳列配置を表す陳列情報とを受信し、前記店舗情報記憶部に登録する店舗情報登録機能と、
前記店舗クライアントから検索元店舗ＩＤと検索指示を受信し、あらかじめ定められた類似性評価尺度に基づいて、前記店舗情報記憶部に登録された前記立地情報のうち、該検索元店舗ＩＤに対応する立地情報である検索元立地情報と他の店舗ＩＤに対応する立地情報である他店舗立地情報との類似性を評価し、該評価された他店舗立地情報に対応する店舗ＩＤを前記店舗情報記憶部から抽出して類似店舗ＩＤとする類似店舗検索機能と、
前記類似店舗ＩＤを前記サーバに送信し、前記類似店舗ＩＤに対応する販売情報を前記サーバから受信する販売情報取得機能と、
あらかじめ定められた販売成績評価尺度に基づいて前記販売情報を評価し、該評価された販売情報に対応する類似店舗ＩＤを優良店舗ＩＤとし、該優良店舗ＩＤに対応する陳列情報を前記店舗情報記憶部から抽出して前記検索元店舗ＩＤに対応する店舗クライアントに送信する陳列情報通知機能と
を備えたことを特徴とする店舗情報提供装置。
【請求項２】
請求項１に記載された店舗情報提供装置であって、
前記類似店舗検索機能は、前記店舗クライアントからさらに検索用立地情報を受信し、前記検索元立地情報の代わりに該検索用立地情報を用いて前記類似店舗ＩＤを抽出することを特徴とする店舗情報提供装置。
【請求項３】
複数の店舗の販売情報を管理するサーバおよび複数の店舗クライアントと通信可能な店舗情報提供装置であって、
前記店舗クライアントから店舗を識別する情報である店舗ＩＤと立地条件を表す立地情報とを受信する立地情報受信機能と、
前記店舗クライアントから前記店舗ＩＤと商品の陳列配置を表す陳列情報とを受信する陳列情報受信機能と、
前記店舗ＩＤと前記立地情報と前記陳列情報とを記憶する店舗情報記憶部と、
前記立地情報を前記店舗ＩＤに対応付けて前記店舗情報記憶部に登録する立地情報登録機能と、
前記陳列情報を前記店舗ＩＤに対応付けて前記店舗情報記憶部に登録する陳列情報登録機能と、
前記店舗クライアントから検索元店舗ＩＤと検索指示とを受信する検索指示受信機能と、
あらかじめ定められた類似性評価尺度に基づいて、前記店舗情報記憶部に登録された前記立地情報のうち、前記検索元店舗ＩＤに対応する立地情報である検索元立地情報と他の店舗ＩＤに対応する立地情報である他店舗立地情報との類似性を評価し、該評価された他店舗立地情報に対応する店舗ＩＤを前記店舗情報記憶部から抽出して類似店舗ＩＤとする類似店舗抽出機能と、
前記類似店舗ＩＤを前記サーバに送信し、前記類似店舗ＩＤに対応する販売情報を前記サーバから受信する販売情報取得機能と、
あらかじめ定められた販売成績評価尺度に基づいて前記販売情報を評価し、該評価された販売情報に対応する類似店舗ＩＤを優良店舗ＩＤとする販売情報評価機能と、
前記優良店舗ＩＤに対応する陳列情報を前記店舗情報記憶部から抽出する陳列情報抽出機能と、
前記陳列情報抽出機能が抽出した陳列情報を前記検索元店舗ＩＤに対応する店舗クライアントに送信する店舗情報送信機能と
を備えたことを特徴とする店舗情報提供装置。
【請求項４】
複数の店舗の販売情報を管理するサーバおよび複数の店舗クライアントと通信可能であり、前記店舗クライアントから受信した情報を記憶する店舗情報記憶部を備えた店舗情報提供装置が実行する店舗情報提供方法であって、
前記店舗クライアントから店舗を識別する情報である店舗ＩＤと立地条件を表す立地情報と商品の陳列配置を表す陳列情報とを受信し、前記店舗情報記憶部に登録する店舗情報登録ステップと、
前記店舗クライアントから検索元店舗ＩＤと検索指示を受信し、あらかじめ定められた類似性評価尺度に基づいて、前記店舗情報記憶部に登録された前記立地情報のうち、該検索元店舗ＩＤに対応する立地情報である検索元立地情報と他の店舗ＩＤに対応する立地情報である他店舗立地情報との類似性を評価し、該評価された他店舗立地情報に対応する店舗ＩＤを前記店舗情報記憶部から抽出して類似店舗ＩＤとする類似店舗検索ステップと、
前記類似店舗ＩＤを前記サーバに送信し、前記類似店舗ＩＤに対応する販売情報を前記サーバから受信する販売情報取得ステップと、
あらかじめ定められた販売成績評価尺度に基づいて前記販売情報を評価し、該評価された販売情報に対応する類似店舗ＩＤを優良店舗ＩＤとし、該優良店舗ＩＤに対応する陳列情報を前記店舗情報記憶部から抽出して前記検索元店舗ＩＤに対応する店舗クライアントに送信する陳列情報通知ステップと
を備えたことを特徴とする店舗情報提供方法。
【請求項５】
複数の店舗の販売情報を管理するサーバおよび複数の店舗クライアントと通信可能であり、前記店舗クライアントから受信した情報を記憶する店舗情報記憶部を備えた店舗情報提供装置に店舗情報提供方法を実行させる店舗情報提供プログラムであって、該店舗情報提供方法は、
前記店舗クライアントから店舗を識別する情報である店舗ＩＤと立地条件を表す立地情報と商品の陳列配置を表す陳列情報とを受信し、前記店舗情報記憶部に登録する店舗情報登録ステップと、
前記店舗クライアントから検索元店舗ＩＤと検索指示を受信し、あらかじめ定められた類似性評価尺度に基づいて、前記店舗情報記憶部に登録された前記立地情報のうち、該検索元店舗ＩＤに対応する立地情報である検索元立地情報と他の店舗ＩＤに対応する立地情報である他店舗立地情報との類似性を評価し、該評価された他店舗立地情報に対応する店舗ＩＤを前記店舗情報記憶部から抽出して類似店舗ＩＤとする類似店舗検索ステップと、
前記類似店舗ＩＤを前記サーバに送信し、前記類似店舗ＩＤに対応する販売情報を前記サーバから受信する販売情報取得ステップと、
あらかじめ定められた販売成績評価尺度に基づいて前記販売情報を評価し、該評価された販売情報に対応する類似店舗ＩＤを優良店舗ＩＤとし、該優良店舗ＩＤに対応する陳列情報を前記店舗情報記憶部から抽出して前記検索元店舗ＩＤに対応する店舗クライアントに送信する陳列情報通知ステップと
を備えたことを特徴とする店舗情報提供プログラム。
【発明の詳細な説明】
【技術分野】
【０００１】
本発明は、店舗情報を提供する装置に係り、特に、特定店舗に対して、その店舗と類似した立地条件の他店舗の情報を提供する装置に関する。
【背景技術】
【０００２】
コンビニエンスストア等では、ＰＯＳ（Ｐｏｉｎｔ  ｏｆ  Ｓａｌｅｓ）システムによる販売情報管理が行われ、そのデータに基づいて在庫管理、仕入れ調整等が行われている。また、複数店舗の情報を統合して広範囲な消費動向を調べたり、顧客の年齢層や天候等による消費傾向を調べたりというマーケティングにも利用されている。これらの情報を参考にして売れ筋商品を見極め、仕入れに反映させている。また、陳列棚における陳列配置も売上を左右する重要なファクタであり、ＰＯＳデータと関連付けて分析する技術も開示されている（特許文献１）。
【０００３】
しかしながら、店舗ごとに固有の事情があり、すべての店舗が同様に売れ筋商品を仕入れ、最適な陳列配置をしたとしても、実際の売れ行きは店舗ごとに隔たりがある。このため、各店舗では、自店の事情に応じた解釈を加えて、仕入れ商品を調整しなければならない。
【特許文献１】特開２００３−１１４９７１号公報
【発明の開示】
【発明が解決しようとする課題】
【０００４】
店舗ごとの固有の事情として、特に、店舗の立地条件は客層や購買時間帯に大きく影響し、当然、それによって売れ筋商品は変わってくる。また、商品の陳列配置も客層や求められる商品によって最適配置が異なる。したがって、全店舗共通の品揃え、商品陳列ではなく、自店に適した品揃え、陳列方法の情報を入手できることが望まれる。特に、自店と類似した立地条件にある他店舗の情報は、品揃え、陳列配置を考える上で非常に参考になる。
【０００５】
そこで、本発明は、商品の品揃え、陳列配置の参考としてもらうために、特定店舗に対して、その店舗と類似した立地条件にあり、売上成績の優良な他店舗の情報、特に品揃えや商品の陳列配置に関する情報を提供することを目的とする。
【課題を解決するための手段】
【０００６】
本発明にかかる店舗情報提供装置は、複数の店舗の販売情報を管理するサーバおよび複数の店舗クライアントと通信可能な店舗情報提供装置であって、
前記店舗クライアントから受信した情報を記憶する店舗情報記憶部と、
前記店舗クライアントから店舗を識別する情報である店舗ＩＤと立地条件を表す立地情報と商品の陳列配置を表す陳列情報とを受信し、前記店舗情報記憶部に登録する店舗情報登録機能と、
前記店舗クライアントから検索元店舗ＩＤと検索指示を受信し、あらかじめ定められた類似性評価尺度に基づいて、前記店舗情報記憶部に登録された前記立地情報のうち、該検索元店舗ＩＤに対応する立地情報である検索元立地情報と他の店舗ＩＤに対応する立地情報である他店舗立地情報との類似性を評価し、該評価された他店舗立地情報に対応する店舗ＩＤを前記店舗情報記憶部から抽出して類似店舗ＩＤとする類似店舗検索機能と、
前記類似店舗ＩＤを前記サーバに送信し、前記類似店舗ＩＤに対応する販売情報を前記サーバから受信する販売情報取得機能と、
あらかじめ定められた販売成績評価尺度に基づいて前記販売情報を評価し、該評価された販売情報に対応する類似店舗ＩＤを優良店舗ＩＤとし、該優良店舗ＩＤに対応する陳列情報を前記店舗情報記憶部から抽出して前記検索元店舗ＩＤに対応する店舗クライアントに送信する陳列情報通知機能と
を備えたことを特徴とする。
【０００７】
また本発明にかかる店舗情報提供方法は、複数の店舗の販売情報を管理するサーバおよび複数の店舗クライアントと通信可能であり、前記店舗クライアントから受信した情報を記憶する店舗情報記憶部を備えた店舗情報提供装置が実行する店舗情報提供方法であって、
前記店舗クライアントから店舗を識別する情報である店舗ＩＤと立地条件を表す立地情報と商品の陳列配置を表す陳列情報とを受信し、前記店舗情報記憶部に登録する店舗情報登録ステップと、
前記店舗クライアントから検索元店舗ＩＤと検索指示を受信し、あらかじめ定められた類似性評価尺度に基づいて、前記店舗情報記憶部に登録された前記立地情報のうち、該検索元店舗ＩＤに対応する立地情報である検索元立地情報と他の店舗ＩＤに対応する立地情報である他店舗立地情報との類似性を評価し、該評価された他店舗立地情報に対応する店舗ＩＤを前記店舗情報記憶部から抽出して類似店舗ＩＤとする類似店舗検索ステップと、
前記類似店舗ＩＤを前記サーバに送信し、前記類似店舗ＩＤに対応する販売情報を前記サーバから受信する販売情報取得ステップと、
あらかじめ定められた販売成績評価尺度に基づいて前記販売情報を評価し、該評価された販売情報に対応する類似店舗ＩＤを優良店舗ＩＤとし、該優良店舗ＩＤに対応する陳列情報を前記店舗情報記憶部から抽出して前記検索元店舗ＩＤに対応する店舗クライアントに送信する陳列情報通知ステップと
を備えたことを特徴とする。
【０００８】
また本発明にかかる店舗情報提供プログラムは、複数の店舗の販売情報を管理するサーバおよび複数の店舗クライアントと通信可能であり、前記店舗クライアントから受信した情報を記憶する店舗情報記憶部を備えた店舗情報提供装置に店舗情報提供方法を実行させる店舗情報提供プログラムであって、該店舗情報提供方法は、
前記店舗クライアントから店舗を識別する情報である店舗ＩＤと立地条件を表す立地情報と商品の陳列配置を表す陳列情報とを受信し、前記店舗情報記憶部に登録する店舗情報登録ステップと、
前記店舗クライアントから検索元店舗ＩＤと検索指示を受信し、あらかじめ定められた類似性評価尺度に基づいて、前記店舗情報記憶部に登録された前記立地情報のうち、該検索元店舗ＩＤに対応する立地情報である検索元立地情報と他の店舗ＩＤに対応する立地情報である他店舗立地情報との類似性を評価し、該評価された他店舗立地情報に対応する店舗ＩＤを前記店舗情報記憶部から抽出して類似店舗ＩＤとする類似店舗検索ステップと、
前記類似店舗ＩＤを前記サーバに送信し、前記類似店舗ＩＤに対応する販売情報を前記サーバから受信する販売情報取得ステップと、
あらかじめ定められた販売成績評価尺度に基づいて前記販売情報を評価し、該評価された販売情報に対応する類似店舗ＩＤを優良店舗ＩＤとし、該優良店舗ＩＤに対応する陳列情報を前記店舗情報記憶部から抽出して前記検索元店舗ＩＤに対応する店舗クライアントに送信する陳列情報通知ステップと
を備えたことを特徴とする。 
【発明の効果】
【０００９】
本発明によれば、特定店舗に対して、その店舗と類似した立地条件にあり、売上成績の優良な他店舗の情報を提供することができるので、商品の品揃え、陳列の配置を考える上での参考に資することができる。
【発明を実施するための最良の形態】
【００１０】
以下、図面に基づいて実施例を説明する。
【実施例１】
【００１１】
図１は、本発明の実施例にかかる店舗情報提供装置と他の装置との関係を示す図である。各店舗にはＰＯＳ端末４と店舗クライアント２が設置されている。図１には店舗を１つだけ記載してあるが、実際には複数の店舗が存在する。本部にはＰＯＳサーバ３と店舗情報提供装置１が設置されている。ＰＯＳサーバ３は店舗情報提供装置１に接続されている。ＰＯＳ端末４とＰＯＳサーバ３は通信ネットワークで接続されている。店舗クライアント２と店舗情報提供装置１は通信ネットワークで接続されている。なお、実現の形態としては、ＰＯＳサーバ３上に店舗情報提供装置１の機能を搭載してもよいし、ＰＯＳ端末４上に店舗クライアント２の機能を搭載してもよい。
【００１２】
ＰＯＳ端末４は店舗の販売情報を適宜ＰＯＳサーバ３に送信する。ＰＯＳサーバ３はＰＯＳ端末４から受信した販売情報を蓄積し、店舗情報提供装置１の要求に応じて販売情報を店舗情報提供装置１に提供する。店舗クライアント２は店舗を識別する情報（以下、店舗ＩＤと呼ぶ）、店舗の立地条件に関する情報（以下、立地情報と呼ぶ）および店舗の商品陳列配置に関する情報（以下、陳列情報と呼ぶ）を店舗情報提供装置１に送信する。店舗情報提供装置１は店舗クライアント２から受信した立地情報および陳列情報を店舗ＩＤに対応付けて記憶部に登録しておく。立地条件が変化し、あるいは商品の陳列配置が変更されるたびに、店舗クライアント２は更新情報を店舗情報提供装置１に送信する。検索元となる店舗の店舗クライアント２からの検索指示を店舗ＩＤとともに受信すると、店舗情報提供装置１はあらかじめ定められた評価尺度に基づいて、記憶部に登録された立地情報のうち、検索元店舗の店舗ＩＤに対応する立地情報と他店舗の店舗ＩＤに対応する立地情報との類似性を評価し、検索元店舗と類似した立地情報を持つ他店舗の店舗ＩＤ（以下、類似店舗ＩＤと呼ぶ）を記憶部から抽出する。店舗情報提供装置１は得られた類似店舗ＩＤをＰＯＳサーバ３に送信し、対応する販売情報をＰＯＳサーバ３から受信する。店舗情報提供装置１はあらかじめ定められた評価尺度に基づいてこの販売情報を評価して販売成績の優良な販売情報に対応する類似店舗ＩＤを求め、この類似店舗ＩＤに対応する陳列情報を抽出して店舗クライアント２に送信する。
【００１３】
図２は本発明の実施例にかかる店舗情報提供装置１の機能構成を示す図である。本実施例にかかる店舗情報提供装置１は立地情報受信機能１２、立地情報登録機能１４、陳列情報受信機能１６、陳列情報登録機能１８、店舗情報記憶部２０、検索指示受信機能２２、類似店舗抽出機能２４、販売情報取得機能２６、販売情報評価機能２８、陳列情報抽出機能３０、および店舗情報送信機能３２を含む。
【００１４】
立地情報受信機能１２は、店舗ＩＤと立地情報とを店舗クライアント２から受信し、立地情報登録機能１４に渡す。
【００１５】
立地情報登録機能１４は、立地情報受信機能１２から受け取った立地情報を店舗ＩＤに対応させて店舗情報記憶部２０に登録する。
【００１６】
陳列情報受信機能１６は、店舗ＩＤと陳列情報とを店舗クライアント２から受信し、陳列情報登録機能１８に渡す。
【００１７】
陳列情報登録機能１８は、陳列情報受信機能１６から受け取った陳列情報を店舗ＩＤに対応させて店舗情報記憶部２０に登録する。
【００１８】
検索指示受信機能２２は、検索元店舗ＩＤと検索指示とを店舗クライアント２から受信し、検索元店舗ＩＤを類似店舗抽出機能２４に渡す。
【００１９】
類似店舗抽出機能２４は、あらかじめ定められた類似性評価尺度に基づいて、店舗情報記憶部２０に登録された立地情報のうち、検索元店舗ＩＤに対応する立地情報（以下、検索元立地情報と呼ぶ）と他の店舗ＩＤに対応する立地情報（以下、他店舗立地情報と呼ぶ）との類似性を評価し、類似性の高い他店舗立地情報に対応する店舗ＩＤ（以下、類似店舗ＩＤと呼ぶ）を店舗情報記憶部２０から抽出して販売情報取得機能２６に渡す。
【００２０】
販売情報取得機能２６は、ＰＯＳサーバ３に類似店舗ＩＤを送信して、類似店舗ＩＤに対応する販売情報をＰＯＳサーバ３から受信し、類似店舗ＩＤと販売情報とを対応付けて販売情報評価機能２８に渡す。
【００２１】
販売情報評価機能２８は、あらかじめ定められた販売成績評価尺度に基づいて販売情報を評価し、販売成績の優良な販売情報に対応する店舗ＩＤ（以下、優良店舗ＩＤと呼ぶ）と販売成績を対応付けて陳列情報抽出機能３０に渡す。
【００２２】
陳列情報抽出機能３０は、優良店舗ＩＤに対応する陳列情報を店舗情報記憶部２０から抽出し、販売成績と対応付けて店舗情報送信機能３２に渡す。
【００２３】
店舗情報送信機能３２は、陳列情報と販売成績とを対応付けて店舗クライアント２に送信する。
【００２４】
図３は本発明の実施例にかかる店舗情報提供装置１の店舗情報登録／更新時における処理の流れを示すフローチャートである。本実施例における店舗情報提供装置１の店舗情報登録／更新時における処理の流れを図３のステップＳ１０２からステップＳ１０８まで順を追って説明する。
【００２５】
（ステップＳ１０２）  立地情報受信機能１２は店舗クライアント２から送信される立地情報を常時受信することができる。
【００２６】
（ステップＳ１０４）  店舗クライアント２から立地情報を受信すると（ステップＳ１０２：Ｙｅｓ）、立地情報受信機能１２は受信した店舗ＩＤと立地情報を立地情報登録機能１４に渡す。立地情報登録機能１４は受け取った店舗ＩＤと立地情報を対応付けて店舗情報記憶部２０に登録する。このとき、店舗ＩＤが既に登録済であれば、対応する立地情報を更新する。
【００２７】
（ステップＳ１０６）  陳列情報受信機能１６は店舗クライアント２から送信される陳列情報を常時受信することができる。
【００２８】
（ステップＳ１０８）  店舗クライアント２から陳列情報を受信すると（ステップＳ１０６：Ｙｅｓ）、陳列情報受信機能１６は受信した店舗ＩＤと陳列情報を陳列情報登録機能１８に渡す。陳列情報登録機能１８は受け取った店舗ＩＤと陳列情報を対応付けて店舗情報記憶部２０に登録する。このとき、店舗ＩＤが既に登録済であれば、対応する陳列情報を更新する。
【００２９】
図４は本発明の実施例にかかる店舗情報提供装置１の店舗情報検索時における処理の流れを示すフローチャートである。本実施例における店舗情報提供装置１の店舗情報検索時における処理の流れを図４のステップＳ１１２からステップＳ１２４まで順を追って説明する。
【００３０】
（ステップＳ１１２）  検索指示受信機能２２は店舗クライアント２から送信される検索指示を常時受信することができる。
【００３１】
（ステップＳ１１４）  店舗クライアント２から検索指示を受信すると（ステップＳ１１２：Ｙｅｓ）、検索指示受信機能２２は受信した検索元店舗ＩＤを類似店舗抽出機能２４に渡す。類似店舗抽出機能２４は受け取った検索元店舗ＩＤに対応する立地情報を店舗情報記憶部２０から抽出する。
【００３２】
（ステップＳ１１６）  類似店舗抽出機能２４は抽出した立地情報に類似した立地情報を店舗情報記憶部２０から探し、対応する店舗ＩＤを類似店舗ＩＤとして販売情報取得機能２６に渡す。
【００３３】
（ステップＳ１１８）  販売情報取得機能２６は受け取った類似店舗ＩＤをＰＯＳサーバ３に送信する。ＰＯＳサーバ３は受信した類似店舗ＩＤに対応する販売情報を類似店舗ＩＤと対応付けて販売情報取得機能２６に送信する。販売情報取得機能２６は受信した販売情報を類似店舗ＩＤと対応付けて販売情報評価機能２８に渡す。
【００３４】
（ステップＳ１２０）  販売情報評価機能２８は受け取った販売情報を評価し、販売成績の優良な類似店舗（以下、優良店舗と呼ぶ）をいくつか抽出する。ここで何をもって販売成績が優良とするかの評価尺度は任意である。たとえば、売上に基づいて判断してもよいし、利益に基づいて判断してもよいし、売上に対する利益率で判断してもよい。また、抽出する優良店舗の数をいくつにするかは任意である。たとえば、あらかじめ決めておいた件数までとしてもよいし、あらかじめ決めておいた成績以上のものとしてもよいし、あるいは、検索元店舗からの指定による、としてもよい。販売情報評価機能２８は抽出した優良店舗の店舗ＩＤを優良店舗ＩＤとし、販売成績と対応付けて陳列情報抽出機能３０に渡す。
【００３５】
（ステップＳ１２２）  陳列情報抽出機能３０は受け取った優良店舗ＩＤに対応する陳列情報を店舗情報記憶部２０から抽出し、販売成績と対応付けて店舗情報送信機能３２に渡す。
【００３６】
（ステップＳ１２４）  店舗情報送信機能３２は受け取った陳列情報と販売成績とを対応付けて店舗クライアント２に送信する。
【００３７】
以下、具体例にて説明する。
図５は、本発明の実施例にかかる立地情報の例を示す図である。図５は店舗ＩＤが「中央店」の立地情報である。あらかじめ、店舗の近隣の様子を示す項目としていくつかの項目がリストアップされており、各項目に項目番号が振られている。そのうち、中央店で該当する項目としてリストアップした項目が図５に示されている。この例では店舗の近隣として１０メートル以内、５０メートル以内、１００メートル以内の３段階に分けて、その範囲に存在する項目の数を記載している。たとえば、項目番号１８の工場に関しては、店舗の近隣１０メートル以内には存在せず、５０メートル以内に１軒の工場が存在し、１００メートル以内まで拡張するとさらに２軒増えて３軒になる、ということを図５は示している。項目として何を挙げるかは任意であり、図５に挙げたような人間が通う設備のほか、人間や自動車の通行量などを挙げてもよい。図５では店舗と設備の距離を立地情報として扱っているが、設備に通う人数を含めてもよい。要は、何がしかの項目とそれを評価する数値を定義しておき、その定義に従って、該当する項目の評価値を設定すればよい。
【００３８】
図６は、本発明の実施例にかかる陳列情報の例を示す図である。図６は店舗ＩＤが「中央店」の陳列情報である。あらかじめ、取り扱う商品がリストアップされており、各商品に商品番号が振られている。そのうち、中央店で取り扱う商品としてリストアップした商品が図６に示されている。図６には各商品の陳列配置の情報が示されている。たとえば、商品番号８２のＡ社ポテトチップスは１番の棚の３列目の１区画目に陳列されている。陳列配置の情報をどう表現するかは任意である。各店舗の棚のレイアウト配置情報と合わせて提供する形でもよい。要は、あらかじめ定められた表現方法で他店舗の陳列配置が読み取れるものであれば何でもよい。
【００３９】
各店舗が店舗クライアント２から立地情報および陳列情報を入力し、店舗情報提供装置１に情報を登録しておく。立地条件が変化したり、商品の陳列配置を変更した場合には、店舗クライアント２から更新情報を入力し、店舗情報提供装置１に情報を更新してもらう。
【００４０】
中央店が他店舗の情報を参考にしたいとき、店舗クライアント２から店舗情報提供装置１に対して検索指示を送信する。
【００４１】
店舗情報提供装置１は、登録された各店舗の立地情報から中央店の立地情報を抽出する。次に店舗情報提供装置１は、登録された各店舗の立地情報から中央店の立地情報に類似した立地情報を探す。
【００４２】
図７は本発明の実施例にかかる立地情報の類似性評価の例を示す図である。図７では中央店と駅前店との立地情報を比較している。まず、両店舗のいずれかにリストアップされている項目をすべてリストアップし、項目ごとに両店舗の情報の差分を計算する。図７の右端に差分が記載されている。片方の店舗だけがリストアップした項目では、差分としてその店舗の情報がそのまま記入され、両店舗ともにリストアップした項目については、各マスの値の差が差分情報の対応するマスに記入されている。本実施例では、この差分情報として算出された数値の合計を両店舗の相違度とする。図７の例では相違度が２０となる。この定義によれば、相違度の数値の低いほうが、より類似していることを表す。自店舗同士の相違度は０となる。類似性の評価尺度は任意である。たとえば、同一項目のランクによって重みを付けたり、項目ごとに重みを付けたり、差分情報の各マスの数値を２乗して合計してもよい。要は、異なった項目を挙げ、その項目に関する数値が異なるほど類似性が薄い、となるような尺度であればよい。
【００４３】
このようにして、類似した立地情報を持つ類似店舗を抽出するが、抽出する件数は任意である。たとえば、相違度の低い店舗から順にあらかじめ定めた件数だけ抽出してもよいし、相違度があらかじめ定めた値より小さいものだけを抽出してもよい。
【００４４】
抽出された類似店舗に関して、ＰＯＳサーバ３から販売情報を受け取る。ＰＯＳサーバ３の処理については、通常の処理でよいため、ここでは説明を割愛する。また販売情報を受け取る相手はＰＯＳサーバ３に限定するものではなく、要は、各類似店舗における各商品の売上等の販売情報が得られれば、どのようなシステムでも構わない。
【００４５】
各類似店舗の販売情報を評価して各類似店舗の販売成績を判定する。評価尺度は任意であるが、ここでは、店舗の総売上をもって販売成績とする。他に利益や利益率、あるいは特定の商品の売上等、詳細な評価尺度によって販売成績を判定してもよい。
【００４６】
評価結果として得られる販売成績に基づいて各類似店舗を順序付け、販売成績の優良な類似店舗から順にいくつかの優良店舗を抽出する。抽出する件数は任意である。たとえば、あらかじめ定めた件数だけ抽出してもよいし、あらかじめ定めた販売成績以上の販売成績を挙げた類似店舗に限定してもよいし、検索元店舗（この例では中央店）の販売成績を上回る類似店舗に限定してもよいし、評価したすべての類似店舗としてもよい。
【００４７】
抽出された優良店舗について、その優良店舗の陳列情報を抽出する。抽出された陳列情報が中央店に送信される。このとき、各優良店舗の販売成績も参考情報として送信される。必要に応じ、各優良店舗の立地情報を送信してもよい。
【００４８】
これによって、中央店は自店舗と類似した立地条件を持ち、販売成績の優良な他店舗の陳列情報を得ることができる。
【００４９】
なお、本実施例では、中央店の立地条件に類似した立地条件を持つ優良店舗を検索したが、近い将来に立地条件が変化する場合を想定して、現状と異なる立地条件を指定して検索することができるようにしてもよい。
【００５０】
なお、本発明にかかる店舗情報提供装置は、ハードウェアとして実施可能であるだけでなく、コンピュータのソフトウェアとしても実施可能である。例えば、図２に示した立地情報受信機能１２、立地情報登録機能１４、陳列情報受信機能１６、陳列情報登録機能１８、検索指示受信機能２２、類似店舗抽出機能２４、販売情報取得機能２６、販売情報評価機能２８、陳列情報抽出機能３０、および店舗情報送信機能３２をコンピュータに実行させるプログラムを作成し、当該プログラムをコンピュータのメモリに読み込ませて実行させれば、店舗情報提供装置を実現することができる。
【００５１】
本発明の実施形態にかかる店舗情報提供装置を実現するプログラムは、図８に示すように、ＣＤ−ＲＯＭやＣＤ−ＲＷ、ＤＶＤ−Ｒ、ＤＶＤ−ＲＡＭ、ＤＶＤ−ＲＷ等やフレキシブルディスク等の可搬型記録媒体３４だけでなく、通信回線３６の先に備えられた他の記憶装置３８や、コンピュータシステム４２のハードディスクやＲＡＭ等の記憶装置、記録媒体４０のいずれに記憶されるものであってもよく、プログラム実行時には、プログラムはローディングされ、主メモリ上で実行される。
【００５２】
（付記１）複数の店舗の販売情報を管理するサーバおよび複数の店舗クライアントと通信可能な店舗情報提供装置であって、
前記店舗クライアントから受信した情報を記憶する店舗情報記憶部と、
前記店舗クライアントから店舗を識別する情報である店舗ＩＤと立地条件を表す立地情報と商品の陳列配置を表す陳列情報とを受信し、前記店舗情報記憶部に登録する店舗情報登録機能と、
前記店舗クライアントから検索元店舗ＩＤと検索指示を受信し、あらかじめ定められた類似性評価尺度に基づいて、前記店舗情報記憶部に登録された前記立地情報のうち、該検索元店舗ＩＤに対応する立地情報である検索元立地情報と他の店舗ＩＤに対応する立地情報である他店舗立地情報との類似性を評価し、該評価された他店舗立地情報に対応する店舗ＩＤを前記店舗情報記憶部から抽出して類似店舗ＩＤとする類似店舗検索機能と、
前記類似店舗ＩＤを前記サーバに送信し、前記類似店舗ＩＤに対応する販売情報を前記サーバから受信する販売情報取得機能と、
あらかじめ定められた販売成績評価尺度に基づいて前記販売情報を評価し、該評価された販売情報に対応する類似店舗ＩＤを優良店舗ＩＤとし、該優良店舗ＩＤに対応する陳列情報を前記店舗情報記憶部から抽出して前記検索元店舗ＩＤに対応する店舗クライアントに送信する陳列情報通知機能と
を備えたことを特徴とする店舗情報提供装置。
（付記２）付記１に記載された店舗情報提供装置であって、
前記類似店舗検索機能は、前記店舗クライアントからさらに検索用立地情報を受信し、前記検索元立地情報の代わりに該検索用立地情報を用いて前記類似店舗ＩＤを抽出することを特徴とする店舗情報提供装置。
（付記３）複数の店舗の販売情報を管理するサーバおよび複数の店舗クライアントと通信可能な店舗情報提供装置であって、
前記店舗クライアントから店舗を識別する情報である店舗ＩＤと立地条件を表す立地情報とを受信する立地情報受信機能と、
前記店舗クライアントから前記店舗ＩＤと商品の陳列配置を表す陳列情報とを受信する陳列情報受信機能と、
前記店舗ＩＤと前記立地情報と前記陳列情報とを記憶する店舗情報記憶部と、
前記立地情報を前記店舗ＩＤに対応付けて前記店舗情報記憶部に登録する立地情報登録機能と、
前記陳列情報を前記店舗ＩＤに対応付けて前記店舗情報記憶部に登録する陳列情報登録機能と、
前記店舗クライアントから検索元店舗ＩＤと検索指示とを受信する検索指示受信機能と、
あらかじめ定められた類似性評価尺度に基づいて、前記店舗情報記憶部に登録された前記立地情報のうち、前記検索元店舗ＩＤに対応する立地情報である検索元立地情報と他の店舗ＩＤに対応する立地情報である他店舗立地情報との類似性を評価し、該評価された他店舗立地情報に対応する店舗ＩＤを前記店舗情報記憶部から抽出して類似店舗ＩＤとする類似店舗抽出機能と、
前記類似店舗ＩＤを前記サーバに送信し、前記類似店舗ＩＤに対応する販売情報を前記サーバから受信する販売情報取得機能と、
あらかじめ定められた販売成績評価尺度に基づいて前記販売情報を評価し、該評価された販売情報に対応する類似店舗ＩＤを優良店舗ＩＤとする販売情報評価機能と、
前記優良店舗ＩＤに対応する陳列情報を前記店舗情報記憶部から抽出する陳列情報抽出機能と、
前記陳列情報抽出機能が抽出した陳列情報を前記検索元店舗ＩＤに対応する店舗クライアントに送信する店舗情報送信機能と
を備えたことを特徴とする店舗情報提供装置。
（付記４）付記３に記載された店舗情報提供装置であって、
前記検索指示受信機能は、前記店舗クライアントからさらに検索用立地情報を受信し、
前記類似店舗抽出機能は、前記検索元立地情報の代わりに前記検索用立地情報を用いて、前記類似店舗ＩＤを抽出することを特徴とする店舗情報提供装置。
（付記５）複数の店舗の販売情報を管理するサーバおよび複数の店舗クライアントと通信可能であり、前記店舗クライアントから受信した情報を記憶する店舗情報記憶部を備えた店舗情報提供装置が実行する店舗情報提供方法であって、
前記店舗クライアントから店舗を識別する情報である店舗ＩＤと立地条件を表す立地情報と商品の陳列配置を表す陳列情報とを受信し、前記店舗情報記憶部に登録する店舗情報登録ステップと、
前記店舗クライアントから検索元店舗ＩＤと検索指示を受信し、あらかじめ定められた類似性評価尺度に基づいて、前記店舗情報記憶部に登録された前記立地情報のうち、該検索元店舗ＩＤに対応する立地情報である検索元立地情報と他の店舗ＩＤに対応する立地情報である他店舗立地情報との類似性を評価し、該評価された他店舗立地情報に対応する店舗ＩＤを前記店舗情報記憶部から抽出して類似店舗ＩＤとする類似店舗検索ステップと、
前記類似店舗ＩＤを前記サーバに送信し、前記類似店舗ＩＤに対応する販売情報を前記サーバから受信する販売情報取得ステップと、
あらかじめ定められた販売成績評価尺度に基づいて前記販売情報を評価し、該評価された販売情報に対応する類似店舗ＩＤを優良店舗ＩＤとし、該優良店舗ＩＤに対応する陳列情報を前記店舗情報記憶部から抽出して前記検索元店舗ＩＤに対応する店舗クライアントに送信する陳列情報通知ステップと
を備えたことを特徴とする店舗情報提供方法。
（付記６）付記５に記載された店舗情報提供方法であって、
前記類似店舗検索ステップでは、前記店舗クライアントからさらに検索用立地情報を受信し、前記検索元立地情報の代わりに該検索用立地情報を用いて前記類似店舗ＩＤを抽出することを特徴とする店舗情報提供方法。
（付記７）複数の店舗の販売情報を管理するサーバおよび複数の店舗クライアントと通信可能であり、前記店舗クライアントから受信した情報を記憶する店舗情報記憶部を備えた店舗情報提供装置が実行する店舗情報提供方法であって、
前記店舗クライアントから店舗を識別する情報である店舗ＩＤと立地条件を表す立地情報とを受信する立地情報受信ステップと、
前記店舗クライアントから前記店舗ＩＤと商品の陳列配置を表す陳列情報とを受信する陳列情報受信ステップと、
前記立地情報を前記店舗ＩＤに対応付けて前記店舗情報記憶部に登録する立地情報登録ステップと、
前記陳列情報を前記店舗ＩＤに対応付けて前記店舗情報記憶部に登録する陳列情報登録ステップと、
前記店舗クライアントから検索元店舗ＩＤと検索指示とを受信する検索指示受信ステップと、
あらかじめ定められた類似性評価尺度に基づいて、前記店舗情報記憶部に登録された前記立地情報のうち、前記検索元店舗ＩＤに対応する立地情報である検索元立地情報と他の店舗ＩＤに対応する立地情報である他店舗立地情報との類似性を評価し、該評価された他店舗立地情報に対応する店舗ＩＤを前記店舗情報記憶部から抽出して類似店舗ＩＤとする類似店舗抽出ステップと、
前記類似店舗ＩＤを前記サーバに送信し、前記類似店舗ＩＤに対応する販売情報を前記サーバから受信する販売情報取得ステップと、
あらかじめ定められた販売成績評価尺度に基づいて前記販売情報を評価し、該評価された販売情報に対応する類似店舗ＩＤを優良店舗ＩＤとする販売情報評価ステップと、
前記優良店舗ＩＤに対応する陳列情報を前記店舗情報記憶部から抽出する陳列情報抽出ステップと、
前記陳列情報抽出ステップで抽出した陳列情報を前記検索元店舗ＩＤに対応する店舗クライアントに送信する店舗情報送信ステップと
を備えたことを特徴とする店舗情報提供方法。
（付記８）付記７に記載された店舗情報提供方法であって、
前記検索指示受信ステップでは、前記店舗クライアントからさらに検索用立地情報を受信し、
前記類似店舗抽出ステップでは、前記検索元立地情報の代わりに前記検索用立地情報を用いて、前記類似店舗ＩＤを抽出することを特徴とする店舗情報提供方法。
（付記９）複数の店舗の販売情報を管理するサーバおよび複数の店舗クライアントと通信可能であり、前記店舗クライアントから受信した情報を記憶する店舗情報記憶部を備えた店舗情報提供装置に店舗情報提供方法を実行させる店舗情報提供プログラムであって、該店舗情報提供方法は、
前記店舗クライアントから店舗を識別する情報である店舗ＩＤと立地条件を表す立地情報と商品の陳列配置を表す陳列情報とを受信し、前記店舗情報記憶部に登録する店舗情報登録ステップと、
前記店舗クライアントから検索元店舗ＩＤと検索指示を受信し、あらかじめ定められた類似性評価尺度に基づいて、前記店舗情報記憶部に登録された前記立地情報のうち、該検索元店舗ＩＤに対応する立地情報である検索元立地情報と他の店舗ＩＤに対応する立地情報である他店舗立地情報との類似性を評価し、該評価された他店舗立地情報に対応する店舗ＩＤを前記店舗情報記憶部から抽出して類似店舗ＩＤとする類似店舗検索ステップと、
前記類似店舗ＩＤを前記サーバに送信し、前記類似店舗ＩＤに対応する販売情報を前記サーバから受信する販売情報取得ステップと、
あらかじめ定められた販売成績評価尺度に基づいて前記販売情報を評価し、該評価された販売情報に対応する類似店舗ＩＤを優良店舗ＩＤとし、該優良店舗ＩＤに対応する陳列情報を前記店舗情報記憶部から抽出して前記検索元店舗ＩＤに対応する店舗クライアントに送信する陳列情報通知ステップと
を備えたことを特徴とする店舗情報提供プログラム。
（付記１０）付記９に記載された店舗情報提供プログラムであって、前記店舗情報提供方法は、
前記類似店舗検索ステップでは、前記店舗クライアントからさらに検索用立地情報を受信し、前記検索元立地情報の代わりに該検索用立地情報を用いて前記類似店舗ＩＤを抽出することを特徴とする店舗情報提供プログラム。
（付記１１）複数の店舗の販売情報を管理するサーバおよび複数の店舗クライアントと通信可能であり、前記店舗クライアントから受信した情報を記憶する店舗情報記憶部を備えた店舗情報提供装置に店舗情報提供方法を実行させる店舗情報提供プログラムであって、該店舗情報提供方法は、
前記店舗クライアントから店舗を識別する情報である店舗ＩＤと立地条件を表す立地情報とを受信する立地情報受信ステップと、
前記店舗クライアントから前記店舗ＩＤと商品の陳列配置を表す陳列情報とを受信する陳列情報受信ステップと、
前記立地情報を前記店舗ＩＤに対応付けて前記店舗情報記憶部に登録する立地情報登録ステップと、
前記陳列情報を前記店舗ＩＤに対応付けて前記店舗情報記憶部に登録する陳列情報登録ステップと、
前記店舗クライアントから検索元店舗ＩＤと検索指示とを受信する検索指示受信ステップと、
あらかじめ定められた類似性評価尺度に基づいて、前記店舗情報記憶部に登録された前記立地情報のうち、前記検索元店舗ＩＤに対応する立地情報である検索元立地情報と他の店舗ＩＤに対応する立地情報である他店舗立地情報との類似性を評価し、該評価された他店舗立地情報に対応する店舗ＩＤを前記店舗情報記憶部から抽出して類似店舗ＩＤとする類似店舗抽出ステップと、
前記類似店舗ＩＤを前記サーバに送信し、前記類似店舗ＩＤに対応する販売情報を前記サーバから受信する販売情報取得ステップと、
あらかじめ定められた販売成績評価尺度に基づいて前記販売情報を評価し、該評価された販売情報に対応する類似店舗ＩＤを優良店舗ＩＤとする販売情報評価ステップと、
前記優良店舗ＩＤに対応する陳列情報を前記店舗情報記憶部から抽出する陳列情報抽出ステップと、
前記陳列情報抽出ステップで抽出した陳列情報を前記検索元店舗ＩＤに対応する店舗クライアントに送信する店舗情報送信ステップと
を備えたことを特徴とする店舗情報提供プログラム。
（付記１２）付記１１に記載された店舗情報提供プログラムであって、前記店舗情報提供方法は、
前記検索指示受信ステップでは、前記店舗クライアントからさらに検索用立地情報を受信し、
前記類似店舗抽出ステップでは、前記検索元立地情報の代わりに前記検索用立地情報を用いて、前記類似店舗ＩＤを抽出することを特徴とする店舗情報提供プログラム。
【図面の簡単な説明】
【００５３】
【図１】本発明の実施例にかかる店舗情報提供装置と他の装置との関係を示す図
【図２】本発明の実施例にかかる店舗情報提供装置の機能構成を示す図
【図３】本発明の実施例にかかる店舗情報提供装置の店舗情報登録／更新時における処理の流れを示すフローチャート
【図４】本発明の実施例にかかる店舗情報提供装置の店舗情報検索時における処理の流れを示すフローチャート
【図５】本発明の実施例にかかる立地情報の例を示す図
【図６】本発明の実施例にかかる陳列情報の例を示す図
【図７】本発明の実施例にかかる立地情報の類似性評価の例を示す図
【図８】コンピュータ環境の例を示す図
【符号の説明】
【００５４】
１：  店舗情報提供装置
２：  店舗クライアント
３：  ＰＯＳサーバ
４：  ＰＯＳ端末
１２：  立地情報受信機能
１４：  立地情報登録機能
１６：  陳列情報受信機能
１８：  陳列情報登録機能
２０：  店舗情報記憶部
２２：  検索指示受信機能
２４：  類似店舗抽出機能
２６：  販売情報取得機能
２８：  販売情報評価機能
３０：  陳列情報抽出機能
３２：  店舗情報送信機能
【図１】
2008077139.tif 000003
【図２】
2008077139.tif 000004
【図３】
2008077139.tif 000005
【図４】
2008077139.tif 000006
【図５】
2008077139.tif 000007
【図６】
2008077139.tif 000008
【図７】
2008077139.tif 000009
【図８】
2008077139.tif 000010